(57)【特許請求の範囲】
【請求項１】
可搬便器本体と、
前記可搬便器本体に設けられた肘掛けと、
前記肘掛けを昇降可能に支持し、前記肘掛けの高さ位置の調節を無段階で行えるようにした昇降機構と、
前記肘掛けの上面に設けられた操作ボタンと、
を備え、
前記肘掛けは、前記昇降機構を有する支柱によって前記可搬便器本体に取り付けられ、
前記肘掛けを任意の高さ位置に固定した状態で前記肘掛けの上面に設けられた操作ボタンが押し下げられたときに、前記肘掛けの固定が解除されて、押し下げる力による前記肘掛けの下降が可能になるものであり、
前記操作ボタンが前記支柱の真上に位置することを特徴とする可搬便器。
【請求項２】
前記肘掛けを任意の高さ位置に固定した状態で前記肘掛けを上昇させる力が作用したときに、前記肘掛けの固定が自動的に解除されるものであることを特徴とする請求項１に記載の可搬便器。
【発明の詳細な説明】
【技術分野】
【０００１】
本発明は、可搬便器に関するものである。
【背景技術】
【０００２】
主として介護用に用いられる便器として、例えば特許文献１にみられるような可搬便器Ａがある。この可搬便器Ａは図１４のように、上面に便座１を設けて形成した椅子型の可搬便器本体２からなるものであり、可搬便器本体２の両側には肘掛け３が設けてある。
【０００３】
この肘掛け３は、便座１に着座した人の座位姿勢を安定させるために必要であり、また便座１から立ち上がる際や、便座１に座る際に体を支えるためにも、肘掛け３は必要である。
【０００４】
一方、主として介護用に用いられるこの種の可搬便器Ａは、ベッドの横に置いて使用されることが多い。そしてベッドに寝ている人が可搬便器Ａを使用するために着座するときには、ベッドのサイドに腰掛けて、そのまま尻をベッドから可搬便器Ａの便座１へと横滑りするように移動させることによって、可搬便座Ａに着座する移乗を行ない、また可搬便器Ａからベッドに戻るときは、逆に便座１の上からベッドの上へと尻を横滑りに移動させることによって、ベッドへ戻る移乗を行なうようにすれば、尻の横滑り移動という楽な動作で移乗を容易に行なうことができる。
【０００５】
このように尻を横滑りに移動させて可搬便器Ａに着座したり、ベッドに戻ったりする場合、尻の移動は可搬便器Ａの側部を通して行なわれるために、可搬便器Ａの両側の肘掛け３のうち、ベッドの側の肘掛け３はこの移乗の動作の邪魔になる。
【０００６】
しかし上記の特許文献１のものでは、肘掛け３は可搬便器本体２にネジ止めによって固定されており、可搬便器Ａに着座したり、ベッドに戻ったりする移乗の動作の度に、肘掛け３を取り外したり取り付けたりすることは、困難であり、尻を横滑りに移動させて可搬便器Ａに着座したり、ベッドに戻ったりする移乗の動作をすることは、実際上できない。
【０００７】
これに対して、特許文献２の可搬便器では、肘掛け３を昇降可能に形成してある。すなわち、図１５に示す扁平筒状の案内部材２３を可搬便器本体２の両側の側面に固定し、肘掛け３を上端に設けた筒状の肘掛け基部２４が案内部材２３内に上下スライド自在に取り付けてある。肘掛け基部２４には所定間隔で上下複数個所に開口２５が穿設してあり、肘掛け基部２４の上端部にレバー２６が設けてある。また開口２５と対応する箇所に凹部２７を設けた被拘束部材２８が肘掛け基部２４内に差し込んで挿着してあり、被拘束部材２８はバネ２９で上方へ弾撥付勢してある。そして図１５のように、バネ３０で弾撥付勢されるストッパ３１が肘掛け基部２４の開口２５に差し込まれるようになっている。
【０００８】
このものにあって、バネ２９で弾撥付勢されて被拘束部材２８が上動した状態では、図１６（ａ）に示すように、被拘束部材２８の各凹部２７は肘掛け基部２４の各開口２５と合致した位置にあり、ストッパ３１は凹部２７に嵌まり込むように開口２５に深く差し込まれ、ストッパ３１が開口２５に係合された状態になる。従ってこの状態ではストッパ３１でロックされ、肘掛け基部２４は案内部材２３内を上下にスライドすることができず、肘掛け３を所定高さに固定することができる。
【０００９】
次に、図１６（ａ）の状態でレバー２６を引き上げると、図１６（ｂ）のように被拘束部材２８はバネ２９に抗して押し下げられる。このように被拘束部材２８が下動した状態では、図１６（ｂ）に示すように、被拘束部材２８の各凹部２７は肘掛け基部２４の各開口２５の間に位置して、各開口２５は被拘束部材２８で閉塞されることになり、ストッパ３１はバネ３０に抗して押し出され、開口２５に対するストッパ３１の係合が解除される。従ってこの状態ではロックが解除され、肘掛け基部２４を案内部材２３内で上下にスライドさせることができるものであり、所定高さに肘掛け３を昇降させた後、レバー２６の引き上げを解除すると、バネ２９の弾撥付勢で被拘束部材２８が上動し、上記の図１６（ａ）と同様にストッパ３１が開口２５に係合して、肘掛け３を所定高さに昇降させた位置で固定することができるものである。
【先行技術文献】
【特許文献】
【００１０】
【特許文献１】特開２００８−２０６６９４号公報
【特許文献２】特開２００６−８７４６１号公報
【発明の概要】
【発明が解決しようとする課題】
【００１１】
特許文献２のものでは、上記のように肘掛け３を所定高さに昇降させた位置で固定することができるようになっているので、肘掛け３を最大限下降させることによって、肘掛け３が邪魔になることなく尻を滑らせる動作を行なうことができ、可搬便器Ａに着座したり、ベッドに戻ったりする移乗を容易に行なうことができるものである。
【００１２】
そして、特許文献２のものにあって、肘掛け基部２４に所定間隔で上下複数設けた開口２５にストッパ３１が係合することによって、肘掛け３を昇降させた高さ位置に固定することができるものであり、肘掛け３の高さを調整することもできる。
【００１３】
しかし、肘掛け３の高さは、可搬便器Ａを使用する人の体の大きさに合わせて微妙に調整できることが必要である。これに対して特許文献２のものでは、肘掛け３を固定できる高さは開口２５の位置に特定されるので、肘掛け３の高さ調整は段階的にしか行なうことができないものであり、可搬便器Ａを使用する人の体の大きさに合わせて肘掛け３の高さを微調整することができず、使い勝手に問題を有するものであった。
【００１４】
本発明は上記の点に鑑みてなされたものであり、肘掛けを下降させた状態で側方から尻を滑らせた移乗の動作を容易に行なうことができ、しかも肘掛けを無段階で昇降させて高さを微調整することができる可搬便器を提供することを目的とするものである。
【課題を解決するための手段】
【００１５】
本発明に係る可搬便器は、可搬便器本体２と、前記可搬便器本体２に設けられた肘掛け３と、前記肘掛け３を昇降可能に支持し、前記肘掛け３の高さ位置の調節を無段階で行えるようにした昇降機構と、前記肘掛け３の上面に設けられた操作ボタン１２と、を備え、前記肘掛け３は、前記昇降機構を有する支柱４２によって前記可搬便器本体２に取り付けられ、前記肘掛け３を任意の高さ位置に固定した状態で前記肘掛け３の上面に設けられた操作ボタン１２が押し下げられたときに、前記肘掛け３の固定が解除されて、押し下げる力による前記肘掛け３の下降が可能になるものであり、前記操作ボタン１２が前記支柱４２の真上に位置することを特徴とするものである。
【００１６】
このようにすることで、肘掛け３の高さを微調整することができる。
【００１７】
また、前記肘掛け３を任意の高さ位置に固定した状態で前記肘掛け３を上昇させる力が作用したときに、前記肘掛け３の固定が自動的に解除されるものであることが好ましい。
【発明の効果】
【００１９】
本発明によれば、肘掛け３の高さを微調整することができるものであり、また肘掛け３を最下端まで下降させることによって、肘掛け３が邪魔になることなく側方から尻を滑らせて移乗する動作を容易に行なうことができるものである。
【図面の簡単な説明】
【００２０】
【図１】本発明の実施の形態の一例を示すものであり、（ａ）（ｂ）はそれぞれ肘掛けの昇降機構を示す断面図である。
【図２】同上の可搬便器の全体を示す斜視図である。
【図３】同上の可搬便器の全体を示すものであり、（ａ）は肘掛けを上端位置に上昇させた状態の側面図、（ｂ）は肘掛けを下端位置に下降させた状態の側面図である。
【図４】肘掛けと支柱を示す斜視図である。
【図５】（ａ）は図４から肘掛けを除いた状態の斜視図、（ｂ）は図５（ａ）から固定筒を除いた状態の斜視図である。
【図６】（ａ）は図５（ｂ）から肘掛けを除いた状態の斜視図、（ｂ）は図６（ａ）のスライドブロックの一部を除いた状態の一部の拡大した斜視図である。
【図７】図４の上端部の部分の一部破断拡大図である。
【図８】チェーン式クランプ具の一例の斜視図である。
【図９】チェーン式クランプ具の一例を示すものであり、（ａ）（ｂ）はそれぞれ正面図、（ｃ）はリンクプレートの正面図である。
【図１０】肘掛けを示すものであり、（ａ）は上面側からの斜視図、（ｂ）は下面側からの斜視図である。
【図１１】チェーン式クランプ具の他の一例を示す概略図である。
【図１２】チェーン式クランプ具のさらに他の一例のピンを示す斜視図である。
【図１３】チェーン式クランプ具のさらに他の一例を示す概略断面図である。
【図１４】従来例の可搬便器を示す斜視図である。
【図１５】従来例の肘掛けの昇降機構を示す分解斜視図である。
【図１６】従来例の肘掛けの昇降機構を示すものであり、（ａ）（ｂ）はそれぞれ断面図である。
【発明を実施するための形態】
【００２１】
以下、本発明の実施の形態を説明する。
【００２２】
図２は本発明の可搬便器Ａの一例を示すものであり、可搬便器本体２は、箱状の便器外郭体３５の下面に脚３６を設けると共に便器外郭体３５の背部に背凭れ１６を設け、便器外郭体３５の上面に便座１を設けることによって、椅子型に形成してある。便座１の下側において、便器外郭体３５内には、排泄物受け容器（図示省略）が取り出し自在に収容してあり、便座１に座って用を足した人の排泄物を排泄物受け容器に受けることができるようにしてある。また便座１の背部側において便器外郭体３５に局部洗浄装置３７が設けてあり、用を足した人の局部を洗浄することができるようにしてある。
【００２３】
背凭れ１６は、便器外郭体３５の後端部に立設した背凭れ支柱３９と、背凭れ支柱３９の上端部に設けた背凭れクッション４０からなるものである。また便器外郭体３５の両側の側面に下端部を固定して固定支柱４１が立設してあって、この固定支柱４１の上端と背凭れ支柱３９の側面との間に固定肘掛け１７が取り付けてあり、可搬便器本体２の後部の両側に固定肘掛け１７を設けるようにしてある。
【００２４】
肘掛け３はこの固定肘掛け１７の前側に配置されるものであり、可搬便器本体２の前部の両側に設けるようにしてある。肘掛け３は固定筒４と可動筒５からなる昇降機構を備えた支柱４２によって可搬便器本体２に取り付けられるものである。
【００２５】
固定筒４は上下が開口する縦長の筒で形成されるものであり、図１、図４、図５（ａ）に示すようにその側面に上下一対の固定具４３が取り付けてある。各固定具４３にはネジ穴４４が設けてあり、このネジ穴４４にネジをねじ込むことによって固定具４３で可搬便器本体４の便器外郭体３５の両側面に、固定筒４を取り付けるようにしてある。上下一対の固定具４３のうち、上の固定具４３にはストッパー片４５が突設してあり、図１（ａ）のように、このストッパー片４５は固定筒４に設けた孔を通して固定筒４の内周に突出させるようにしてある。固定筒４の下端の開口はキャップ４６で閉塞してあるが、固定筒４の下端部内にシャフト支持ブロック４７がネジ４８止めで固定してある。そしてこのシャフト支持ブロック４７によって固定筒４内にシャフト６が縦に立設してある。シャフト６は図１に示すように下端がシャフト支持ブロック４７に固定されるものであり、上端をフリーな自由端として固定筒４の軸中心に配置されるものである。
【００２６】
可動筒５は上下が開口する縦長の筒で形成されるものであり、固定筒４の内径より小さい外径の同心形状に形成してある。可動筒５の上端外面には、図５（ｂ）のように一対の肘掛け取付金具５１が固定してあり、この肘掛け取付金具５１によって可動筒５の上端に肘掛け３を取り付けるようにしてある。
【００２７】
可動筒５の下端部には図１に示すようにスライドブロック５２が取り付けてある。スライドブロック５２は筒状に形成されるものであり、図６（ａ）のように一対の半筒状のブロック半体５２ａを合体して形成されるものである。スライドブロック５２は上部を可動筒５の下端部内に差し込んで、ネジ５３で固定するようにしてある。スライドブロック５２の下端部は可動筒５の下方へ突出しており、この可動筒５の下方へ突出するスライドブロック５２の下端部は可動筒５の外周より外方へ張り出し、スライド部５４として形成してあり、スライド部５４にはコロ５５が設けてある。
【００２８】
スライドブロック５２内には図６（ｂ）のようにチェーン式クランプ具１０が取り付けてある。チェーン式クランプ具１０は、鎖伝動装置に用いられるチェーン９を用いて形成されるものである。すなわち、平行に一対配置した一組のリンクプレート７の一端に他の一組のリンクプレート７の一端をピン８で回動自在に連結すると共に各対のリンクプレート７同士をこのピン８で結合し、この一組のリンクプレート７の他端に他の一組のリンクプレート７の一端をピン８で回動自在に連結すると共に各対のリンクプレート７同士をこのピン８で結合し、以下同様して複数のリンクプレート７をピン８で回動自在に連結することによって、チェーン９を形成することができる。そしてこのチェーン９を隣り合うリンクプレート７が「く」字形になるようにジグザグ状に屈曲すると、図８に示すように、一対の平行なリンクプレート７と、リンクプレート７の両端のピン８とで囲まれる空間が、一直線に並んで連続することになる。すなわち、リンクプレート７を連結しているピン８は、一つ置きのものと他の一つ置きのものがそれぞれ一直線に且つ平行に並び、この一つ置きのピン８間に一直線に連通する空間が形成されるものである。
【００２９】
このようにチェーン９をジグザグ状に屈曲して形成されるチェーン式クランプ具１０は、スライドブロック５２の内側に縦に配置されるものであり、チェーン式クランプ具１０の下端のリンクプレート７を連結プレート５６によってスライドブロック５２に取り付けるようにしてある。従ってチェーン式クランプ具１０の上端はフリーな状態になっている。チェーン式クランプ具１０をこのように装着したスライドブロック５２を上記のように可動筒５の下端部内に挿着することによって、図１に示すように、チェーン式クランプ具１０を可動筒５の下端部内に取り付けることができるものである。
【００３０】
また、可動筒５にはクランプ解除具１１が装着してある。クランプ解除具１１は操作ボタン１２と押圧杆１３を備えて形成されるものであり、押圧杆１３は可動筒５より小径の上下が開口する筒体によって形成してある。操作ボタン１２は図７に示すように円板状の押さえ板５８の下面に軸部５９を突設して形成されるものであり、軸部５９の中段部の外面に係止突部６０が突設してある。操作ボタン１２は係止突部６０より下側の軸部５９を押圧杆１３の上端開口部内に差し込み嵌合することによって、押圧杆１３の上端に固定してある。押圧杆１３の下端には、図１及び図６（ｂ）に示すように筒状の押圧スライダー６１が取り付けてある。この押圧スライダー６１の外径は上記のスライドブロック５２の上部の内径とほぼ等しく、内径は上記のシャフト６の外径とほぼ等しく形成してある。
【００３１】
そして可動筒５の上端部の内周にはガイド筒６２が取り付けてあり、ガイド筒６２の内周を通して押圧杆１３を可動筒５内に差し込んで取り付けてある。このように押圧杆１３を可動筒５内に差し込んで挿着すると、図１及び図６（ｂ）に示すように、押圧杆１３の下端に設けた押圧スライダー６１がスライドブロック５２の上部内に挿入され、スライドブロック５２内のチェーン式クランプ具１０の上端に押圧スライダー６１の下端が近接して配置されるようになっている。また図７のように、ガイド筒６２の内周の下端部には下係止突部６３が突設してあり、この下係止突部６３と操作ボタン１２の係止突部６０の間にコイルスプリング６４が設けてある。従って、スプリング６４に抗して操作ボタン１２を押して下動させると、操作ボタン１２と共に押圧杆１３も可動筒５内を下動し、また操作ボタン１２を押す力を解除すると、スプリング６４の弾撥力で操作ボタン１２は上動し、押圧杆１３も可動筒５内を上動する。
【００３２】
可動筒５は固定筒４内に上端の開口から差し込んで挿着されるものであり、このように固定筒４に可動筒５を差し込んだ状態で、固定筒４の上端部に筒状のガイドブッシュ６７を取り付けるようにしてある。ガイドブッシュ６７の内径は可動筒５の外径とほぼ等しく形成してあり、また可動筒５の下端部に取り付けた上記スライドブロック５２のスライド部５４の外径は固定筒４の内径とほぼ等しく形成してあり、従って、可動筒５の外周面がガイドブッシュ６７の内周面に、スライドブロック５２のスライド部５４の外周面が外筒４の内周面に、それぞれ密接して摺動する状態で、可動筒５をがたつきなくスムーズに上下にスライドさせることができるものである。
【００３３】
そしてこのように可動筒５を固定筒４内に差し込む際に、同時に、シャフト６を可動筒５の下端部のスライドブロック５２内に下端から被挿し、さらにクランプ解除具１１の押圧杆１３内に下端の押圧スライダー６１を通してシャフト６を被挿するようにしてある。またこのとき、図６（ｂ）に示すように、スライドブロック５２内のチェーン式クランプ具１０内の空間内にも下端から上端へと突き抜けるようにシャフト６が被挿されるものである。
【００３４】
ここで、チェーン式クランプ具１０が折り畳まれてジグザグの角度が小さい状態では、図９（ａ）のように隣り合うリンクプレート７がなす角度θが小さくなり、図９（ｃ）の上の図のようにリンクプレート７の傾斜角度が小さくなる。またチェーン式クランプ具１０が引き伸ばされてジグザグの角度が大きい状態では、図９（ｂ）のように隣り合うリンクプレート７がなす角度θが大きくなり、図９（ｃ）の下の図のようにリンクプレート７の傾斜角度が大きくなる。そして図９（ｃ）の下の図のようにリンクプレート７の傾斜角度が大きいときの、隣り合うピン８の水平方向（シャフト６の長手方向と垂直な方向）での内法寸法Ｗ２は、図９（ｃ）の上の図のようにリンクプレート７の傾斜角度が小さいときの、隣り合うピン８の水平方向（シャフト６の長手方向と垂直な方向）での内法寸法Ｗ１よりも小さくなる。ここで、シャフト６の幅寸法ＷはＷ２と同じ寸法に形成してある。
【００３５】
上記のようにして、昇降機構を備えた支柱４２を図１のように形成することができるものであり、固定筒４に設けた固定具４３によって可搬便器本体２の便器外郭体３５の両側の外面に支柱４２を取り付けることによって、図２のように可搬便器本体２の両側に肘掛け３を設けることができるものである。
【００３６】
肘掛け３は上記のように可動筒５の上端部に設けた一対の肘掛け取付金具５１によって、可動筒５の上端部に取り付けるようにしてある。すなわち、この肘掛け取付金具５１は図５のように、縦片７０と、縦片７０の下端に外側方へ突出して設けた横片７１から、断面Ｌ字形に形成されるものであり、横片７１の外側縁にはガイド用切欠部７２が設けてある。また肘掛け３の中央部には、その下面に肘掛け３の長手方向に沿って長い長凹部７３が下方へ開口して形成してあり、この長凹部７３の上底面の中央部に上下に開口するボタン孔１４が穿設してある。そして図１０（ｂ）のように、長凹部７３に下側から可動筒５の上端部および肘掛け取付金具５１の縦片７０を差し込んだ状態で、肘掛け取付金具５１の横片７１の上に肘掛け３を載置し、この状態で横片７１のビス孔７５を通してビス７７を肘掛け３にねじ込むことによって、可動筒５の上端部に肘掛け３を固定して取り付けることができるものである。このように可動筒５に肘掛け３を取り付けた際には、図７や図１０（ａ）に示すように、クランプ解除具１１の操作ボタン１２はボタン孔１４内に収容されるようになっている。
【００３７】
また１５はシャッターであり、下面が開口する断面コ字形に形成してあって、肘掛け３に上側から嵌め込んで取り付けてある。シャッター１５の両側下端には内方へ突出して係止ガイド片７６が設けてあり、この係止ガイド片７６を肘掛け３の下面に係止させてある。そして図１０（ｂ）のように係止ガイド片７６は肘掛け取付金具５１の横片７１のガイド用切欠部７２内に位置させてあり、係止ガイド片７６がガイド用切欠部７２内をスライドする範囲で、シャッター１５を肘掛け３の長手方向に沿った前後方法にスライド自在にしてある。シャッター１５をこのようにスライド移動させることによって、図２に示すように操作ボタン１２を収容したボタン孔１４の上面開口をクローズにしたり、図７や図１０（ａ）のようにボタン孔１４の上面開口をオープンにしたりすることができるものである。
【００３８】
上記のように可搬便器本体２の両側に肘掛け３を設けて形成される本発明の可搬便器Ａにあって、可動筒５を上限まで引き上げて肘掛け３を最上端位置に上昇させると、図２及び図３（ａ）に示すように、肘掛け３は固定肘掛け１７と同じ高さに揃い、また固定肘掛け１７の前側に肘掛け３が位置して、肘掛け３と固定肘掛け１７とが前後に連続するようにしてある。このとき、図１（ｂ）に示すように、可動筒５の下端部に設けたスライドブロック５２のスライド部５４が、固定筒４に取り付けた固定具４３のストッパー片４５に係止されることによって、可動筒５の上限位置が規制されている。
【００３９】
このように、肘掛け３と固定肘掛け１７が前後に一体的に連続するようになっているので、可搬便器本体２の便座１に座って用を足す人は、肘掛け３から固定肘掛け１７に跨って肘を掛けて、体重を肘掛け３と固定肘掛け１７の両方に掛けることができるものである。このため、固定筒４と可動筒５からなる一本の支柱４２で肘掛け３を支持するようにしても、肘掛け３に過大な荷重が作用することがなくなり、安定して肘をかけることができるものである。また、肘掛け３が前後にぐらついたりすることなく一本の支柱４２で安定して支持するために、肘掛け３の前後方向の長さを短く形成してあるが、肘掛け３と背凭れ１６の間に固定肘掛け１７を設けることによって、肘掛け３と背凭れ１６の間に大きな隙間があくようなことを防ぐことができるものである。
【００４０】
上記のように肘掛け３を上昇させた状態で、肘掛け３に体重などが掛かって、可動筒５を下方へ移動させる力が作用すると、可動筒５の下動によってチェーン式クランプ具１０の下端のリンクプレート７に、図９（ｂ）のイ矢印のように連結プレート５６を介して引き下ろす力が作用する。すると、チェーン式クランプ具１０に挿通されているシャフト６に対するチェーン式クランプ具１０のピン８の摺接抵抗で、チェーン式クランプ具１０が引き伸ばされてリンクプレート７のジグザグの角度θが大きくなり、隣り合うピン８の水平方向（シャフト６の長手方向と垂直な方向）での内法寸法Ｗ２がシャフト６の幅寸法Ｗと同じになる。そしてこのように隣り合うピン８の水平方向での内法寸法Ｗ２がシャフト６の幅寸法Ｗと同じになると、チェーン式クランプ具１０の各隣り合うピン８の間にシャフト６がクランプされ、シャフト６に対してチェーン式クランプ具１０がクランプ固定されることになる。従って、チェーン式クランプ具１０はシャフト６に沿って下動することができず、可動筒５も下動することができないものであり、肘掛け３が下降することはない。このため、肘掛け３を上昇させた状態に保持して、肘掛け３に肘を掛けて使用することができるものである。
【００４１】
次に、可搬便器本体２の側方から尻を滑らせて移乗する動作を容易に行なうことができるように、肘掛け３を最下端まで下降させるにあたっては、まず図３（ａ）のようにシャッター１５を後方へスライドさせて、図７や図１０（ａ）のようにボタン孔１４の上面を開口させ、クランプ解除具１１の操作ボタン１２をスプリング６４に抗して押し下げる。すると、操作ボタン１２の下動によって押圧杆１３が可動筒５内を下動し、押圧杆１３の下端部に設けた押圧スライダー６１の下端でチェーン式クランプ具１０の上端のリンクプレート７が下方へ押さえられる。このようにチェーン式クランプ具１０の上端が下方へ押えられると、チェーン式クランプ具１０は図９（ｂ）のようにジグザグの角度θが大きい引き伸ばされた状態から、図９（ａ）のようにジグザグの角度θが小さい折り畳まれた状態になる。そしてこのようにリンクプレート７のジグザグの傾斜角度が小さくなると、隣り合うピン８の水平方向（シャフト６の長手方向と垂直な方向）での内法寸法Ｗ１がシャフト６の幅寸法Ｗよりも大きくなり、隣り合うピン８の間にシャフト６がクランプされる状態が解除され、シャフト６に対するチェーン式クランプ具１０のクランプが解除される。従って、このように操作ボタン１２を押し下げてチェーン式クランプ具１０のクランプを解除した状態で可動筒５を押し下げると、図９（ａ）のイ矢印のようにチェーン式クランプ具１０はシャフト６に沿って下動するものであり、可動筒５を固定筒４内に沿って下動させることができ、肘掛け３を下降させることができるものである。
【００４２】
このようにして、図３（ｂ）のように肘掛け３を便座１と同じレベルの最下端にまで下降させることによって、可搬便器本体２の一方の側方を開放状態にすることができるものであり、可搬便器本体２の側方から尻を滑らせて移乗する動作を容易に行なうことができるものである。
【００４３】
次に、可動筒５を引き上げて上動させると、チェーン式クランプ具１０の下端のリンクプレート７に、図９（ａ）（ｂ）のロ矢印のように引き上げる力が作用する。そしてチェーン式クランプ具１０が元々図９（ａ）のようにジグザグの角度θが小さい折り畳まれた状態であるときには、チェーン式クランプ具１０は折り畳まれた状態のまま、図９（ａ）のロ矢印のようにシャフト６に沿って上動する。またチェーン式クランプ具１０が図９（ｂ）のようにジグザグの角度θが大きい引き伸ばされた状態であって、シャフト６に対してチェーン式クランプ具１０がクランプされている場合には、図９（ｂ）のロ矢印のように引き上げる力が作用すると、シャフト６に対するチェーン式クランプ具１０のピン８の摺接抵抗で、チェーン式クランプ具１０は引き伸ばされた状態から図９（ａ）のようにジグザグの角度θが小さい折り畳まれた状態になり、図９（ａ）のロ矢印のようにシャフト６に沿って上動する。
【００４４】
このように、可動筒５を引き上げて上動させるときには、チェーン式クランプ具１０のクランプが自動的に解除されるものであり、クランプ解除具１１の操作ボタン１２を操作する必要なく、可動筒５を固定筒４内に沿って引き上げて肘掛け３を上昇させる操作を容易に行なうことができるものである。
【００４５】
また、上記のように操作ボタン１２を押してチェーン式クランプ具１０のクランプを解除した状態で可動筒５を押し下げて下動させ、肘掛け３を任意の高さ位置に下降させることができる。そしてこの状態で操作ボタン１２を押す力を解除すると、スプリング６４の弾撥力で操作ボタン１２は上動し、押圧杆１３も可動筒５内を上動するため、押圧杆１３の押圧スライダー６１によるチェーン式クランプ具１０の上端の押圧が解除される。このようにチェーン式クランプ具１０の上端の押圧が解除されると、可動筒５に押し下げる力が働いたときに、チェーン式クランプ具１０が既述の図９（ｂ）のようにジグザグの角度θが大きくなるように引き伸ばされ、クランプ状態になる。従って、肘掛け３を任意の高さ位置に調整した状態で固定することができるものである。
【００４６】
さらに上記のように、可動筒５を引き上げて上動させ、肘掛け３を任意の高さ位置に上昇させることができる。そしてこの任意の高さ位置で可動筒５に押し下げる力が働いたときに、チェーン式クランプ具１０が既述の図９（ｂ）のようにジグザグの角度θが大きくなるように引き伸ばされ、クランプ状態になる。従って、肘掛け３を任意の高さ位置に調整した状態で固定することができるものである。
【００４７】
このように、可動筒５は昇降させた任意の高さ位置に固定することができるものであり、肘掛け３を連続した無段階の高さ位置に調整することができるものである。従って、肘掛け３を無段階で昇降させて高さを微調整することができ、使い勝手が良好なものになるものである。
【００４８】
上記のように、肘掛け３を下降させるときには、クランプ解除具１１の操作ボタン１２を操作する必要があり、操作ボタン１２を操作しない限り肘掛け３が降下するようなことはない。このため、例えば肘掛け３に肘を掛けている状態で、不用意に肘掛け３が降下するようなことを防ぐことができる。しかも、操作ボタン１２は肘掛け３のボタン孔１４内に、ボタン孔１４の上面開口より下側に位置するように配置してあるので、操作ボタン１２を不用意に押してしまうようなことを防ぐことができ、さらにシャッター１５をスライドさせて図２のようにボタン孔１４の上面開口をシャッター１５で閉じておけば、操作ボタン１２を不用意に押してしまうことを確実に防ぐことができるものである。
【００４９】
図１１はチェーン式クランプ具１０の他の実施の形態を示すものであり、リンクプレート７を回動自在に連結するピン８を、断面非円形に形成してある。図１１の実施の形態では、ピン８の断面を楕円形乃至長円形に形成して非円形にしてあるが、多角形断面にして非円形にするようにしてもよい。
【００５０】
ここで、上記の図９（ｂ）のようにチェーン式クランプ具１０が引き伸ばされると、隣り合うピン８の水平方向での内法寸法Ｗ２が小さくなって、隣り合うピン８の間にシャフト６がクランプされ、シャフト６に対してチェーン式クランプ具１０をクランプ固定することができる。しかしピン８が自由に回転することができると、クランプ状態であってもピン８の転動によって、シャフト６に沿ってチェーン式クランプ具１０が移動可能になることがある。チェーン９においてピン８は隣り合う一対のリンクプレート７のうち一方のリンクプレート７には回動自在に連結されているが、他方のリンクプレート７にはかしめ固定されており、通常は自由に回転することはできない。しかし場合によってはかしめが緩んだりしてピン８が回転可能になることがあり、このときにはシャフト６の表面をピン８が転動することによってチェーン式クランプ具１０が移動するおそれがある。これに対して、図１１の実施の形態のように、ピン８の断面を非円形に形成すれば、ピン８がシャフト６の表面を転動することを防ぐことができるものであり、シャフト６に対するチェーン式クランプ具１０のクランプ固定状態を確実に保持することができるものである。
【００５１】
図１２の実施の形態では、ピン８を軸部８ａと偏心部８ｂとから形成するようにしてある。シャフト６の表面に接する偏心部８ｂは軸部８ａから偏心しているので、この場合も、ピン８がシャフト６の表面を転動することを防ぐことができるものであり、シャフト６に対するチェーン式クランプ具１０のクランプ固定状態を確実に保持することができるものである。
【００５２】
図１３の実施の形態では、ピン８を曲げ変形するバネ材質で形成してあり、隣り合うピン８間にシャフト６をクランプしたときに、ピン８が曲げ変形するようにしてある。曲げ変形しているピン８はシャフト６の表面を転動することができないものであり、この場合も、シャフト６に対するチェーン式クランプ具１０のクランプ固定状態を確実に保持することができるものである。
【符号の説明】
【００５３】
１  便座
２  可搬便器本体
３  肘掛け
４  固定筒
５  可動筒
６  シャフト
７  リンクプレート
８  ピン
９  チェーン
１０  チェーン式クランプ具
１１  クランプ解除具
１２  操作ボタン
１３  押圧杆
１４  ボタン孔
１５  シャッター
１６  背凭れ
１７  固定肘掛け
【図１】
0005858487.tif 000002
【図２】
0005858487.tif 000003
【図３】
0005858487.tif 000004
【図４】
0005858487.tif 000005
【図５】
0005858487.tif 000006
【図６】
0005858487.tif 000007
【図７】
0005858487.tif 000008
【図８】
0005858487.tif 000009
【図９】
0005858487.tif 000010
【図１０】
0005858487.tif 000011
【図１１】
0005858487.tif 000012
【図１２】
0005858487.tif 000013
【図１３】
0005858487.tif 000014
【図１４】
0005858487.tif 000015
【図１５】
0005858487.tif 000016
【図１６】
0005858487.tif 000017